(57)【特許請求の範囲】
【請求項１】
内容物と、内容物を封入する袋体と、内容物及び袋体を収容する容器とを備え、
容器は、内容物が通過するのを防止できる形状に形成される開口部を、一方側及び他方側にそれぞれ備え、
袋体は、各開口部を介して容器から露出する露出部を一対備えると共に、内容物が袋体から出られるように、少なくとも一方側の露出部で開封可能に構成される容器体であって、
容器は、袋体を挟持すべく、接離可能な一対の挟持部を少なくとも一つ備え、
少なくとも一方側の開口部は、離間する一対の挟持部で構成されることを特徴とする容器体。
【請求項２】
内容物と、内容物を封入する袋体と、内容物及び袋体を収容する容器とを備え、
容器は、一方側及び他方側にそれぞれ開口部を備え、
袋体は、各開口部を介して容器から露出する露出部を一対備えると共に、内容物が袋体から出られるように、少なくとも一方側の露出部で開封可能に構成され、
他方側の開口部は、開封された袋体が他方側の開口部から引き出される際に、内容物が容器の内部で袋体から押し出されるような形状に形成される容器体であって、
容器は、袋体を挟持すべく、接離可能な一対の挟持部を少なくとも一つ備え、
少なくとも一方側の開口部は、離間する一対の挟持部で構成されることを特徴とする容器体。
【請求項３】
袋体は、露出部が切断されることで開封されるべく、少なくとも一方側の露出部に、切断の開始となる切断開始部を備える請求項１又は２に記載の容器体。
【請求項４】
内容物を封入する袋体を収容する容器において、
袋体の一部を一方側及び他方側からそれぞれ露出させるべく、一方側及び他方側にそれぞれ開口部を備えると共に、袋体を挟持すべく、接離可能な一対の挟持部を少なくとも一つ備え、
各開口部は、内容物が通過するのを防止すべく、内容物を係止可能な形状に形成され、
少なくとも一方側の開口部は、離間する一対の挟持部で構成されることを特徴とする容器。
【請求項５】
内容物を封入する袋体を収容する容器において、
袋体の一部を一方側及び他方側からそれぞれ露出させるべく、一方側及び他方側にそれぞれ開口部を備えると共に、袋体を挟持すべく、接離可能な一対の挟持部を少なくとも一つ備え、
他方側の開口部は、一方側の開口部を介して露出する部位で開封された袋体が他方側の開口部から引き出される際に、内容物が内部で袋体から押し出されるような形状に形成され、
少なくとも一方側の開口部は、離間する一対の挟持部で構成されることを特徴とする容器。
【請求項６】
請求項１〜３の何れか１項に記載の容器体における、袋体の開封方法であって、
内容物が袋体から出られるように、一方側の露出部で袋体を開封する工程と、
他方側の露出部を操作することで、内容物が容器の内部で袋体から押し出されるように、袋体を他方側の開口部から引き出す工程とを備えることを特徴とする袋体の開封方法。
【発明の詳細な説明】
【技術分野】
【０００１】
本発明は、内容物と、内容物を封入する袋体と、内容物及び袋体を収容する容器とを備える容器体に関する。また、本発明は、内容物を封入する袋体を収容する容器に関する。さらに、本発明は、斯かる容器体における袋体の開封方法に関する。
【背景技術】
【０００２】
従来、容器体として、例えば芳香剤、防虫剤といった固形状やジェル状の内容物と、内容物を収容する容器とを備える容器体が知られている（例えば、特許文献１）。斯かる容器体によれば、内容物を指で持って容器の内部に設置することで、容器の内部に内容物を収容できる。
【先行技術文献】
【特許文献】
【０００３】
【特許文献１】特開２００４−２２４３８２号公報
【発明の概要】
【発明が解決しようとする課題】
【０００４】
しかしながら、特許文献１に係る容器体によれば、内容物を指で持つ必要があるため、衛生上や安全上で好ましくない場合もある。例えば、吸収材に揮発性液体を吸収させたものが内容物である場合、内容物を容器の内部に設置する際に、指に揮発性液体が付着するため、安全上好ましくないこともある。
【０００５】
よって、本発明は、斯かる事情に鑑み、内容物を指で持つことなく、容器の内部に内容物を設置できる容器体、その容器及び袋体の開封方法を提供することを課題とする。
【課題を解決するための手段】
【００１２】
また、本発明に係る容器体は、内容物と、内容物を封入する袋体と、内容物及び袋体を収容する容器とを備え、容器は、内容物が通過するのを防止できる形状に形成される開口部を、一方側及び他方側にそれぞれ備え、袋体は、各開口部を介して容器から露出する露出部を一対備えると共に、内容物が袋体から出られるように、少なくとも一方側の露出部で開封可能に構成される容器体であって、容器は、袋体を挟持すべく、接離可能な一対の挟持部を少なくとも一つ備え、少なくとも一方側の開口部は、離間する一対の挟持部で構成されることを特徴とする。
また、本発明に係る容器体は、内容物と、内容物を封入する袋体と、内容物及び袋体を収容する容器とを備え、容器は、一方側及び他方側にそれぞれ開口部を備え、袋体は、各開口部を介して容器から露出する露出部を一対備えると共に、内容物が袋体から出られるように、少なくとも一方側の露出部で開封可能に構成され、他方側の開口部は、開封された袋体が他方側の開口部から引き出される際に、内容物が容器の内部で袋体から押し出されるような形状に形成される容器体であって、容器は、袋体を挟持すべく、接離可能な一対の挟持部を少なくとも一つ備え、少なくとも一方側の開口部は、離間する一対の挟持部で構成されることを特徴とする。
【００１３】
斯かる構成の容器体によれば、接離可能な一対の挟持部が離間することで、少なくとも一方側の開口部が構成されている。これにより、一対の挟持部が接近することで袋体を挟持できるため、例えば、一方側の露出部で袋体を開封する際に、袋体が移動する（位置ずれする）のを防止でき、その結果、一方側の露出部で袋体を開封する作業を容易にすることができる。
【００１４】
また、本発明に係る容器体においては、袋体は、露出部が切断されることで開封されるべく、少なくとも一方側の露出部に、切断の開始となる切断開始部を備えてもよい。
【００１５】
斯かる構成の容器体によれば、少なくとも一方側の露出部に、切断の開始となる切断開始部が設けられている。これにより、切断開始部から切断を開始することで、切断工具（例えばハサミ）等を用いることなく、一方側の露出部を切断できるため、一方側の露出部で袋体を開封する作業を容易にすることができる。
【００２０】
また、本発明に係る容器は、内容物を封入する袋体を収容する容器において、袋体の一部を一方側及び他方側からそれぞれ露出させるべく、一方側及び他方側にそれぞれ開口部を備えると共に、袋体を挟持すべく、接離可能な一対の挟持部を少なくとも一つ備え、各開口部は、内容物が通過するのを防止すべく、内容物を係止可能な形状に形成され、少なくとも一方側の開口部は、離間する一対の挟持部で構成されることを特徴とする。
【００２１】
また、本発明に係る容器は、内容物を封入する袋体を収容する容器において、袋体の一部を一方側及び他方側からそれぞれ露出させるべく、一方側及び他方側にそれぞれ開口部を備えると共に、袋体を挟持すべく、接離可能な一対の挟持部を少なくとも一つ備え、他方側の開口部は、一方側の開口部を介して露出する部位で開封された袋体が他方側の開口部から引き出される際に、内容物が内部で袋体から押し出されるような形状に形成され、少なくとも一方側の開口部は、離間する一対の挟持部で構成されることを特徴とする。
【００２２】
また、本発明に係る袋体の開封方法は、前記容器体における袋体の開封方法であって、内容物が袋体から出られるように、一方側の露出部で袋体を開封する工程と、他方側の露出部を操作することで、内容物が容器の内部で袋体から押し出されるように、袋体を他方側の開口部から引き出す工程とを備えることを特徴とする。
【００２３】
斯かる袋体の開封方法によれば、内容物が袋体から出られるように、一方側の露出部で袋体を開封する。そして、他方側の露出部を操作することで、他方側の開口部から袋体を引き出すことにより、内容物が容器の内部で袋体から押し出される。これにより、容器の内部に内容物が収容された容器体を得ることができる。
【発明の効果】
【００２４】
以上の如く、本発明に係る容器体及び袋体の開封方法によれば、内容物を指で持つことなく、容器の内部に内容物を設置できるという優れた効果を奏する。また、本発明に係る容器によれば、内容物を指で持つことなく、内部に内容物を設置できるという優れた効果を奏する。
【図面の簡単な説明】
【００２５】
【図１】本発明の一参考例に係る容器体の全体図であって、（ａ）は平面図、（ｂ）は正面図を示す。
【図２】同参考例に係る容器体の全体図であって、（ａ）は側面図、（ｂ）はＡ−Ａ線における断面図を示す。
【図３】同参考例に係る内容物を封入した袋体の全体図であって、（ａ）は平面図、（ｂ）はＢ−Ｂ線における断面図を示す。
【図４】同参考例に係る容器の全体斜視図を示す。
【図５】同参考例に係る容器の全体図であって、（ａ）は平面図、（ｂ）は正面図、（ｃ）は側面図を示す。
【図６】同参考例に係る容器体における袋体の開封方法を説明する図であって、（ａ）及び（ｂ）はそれぞれ断面図を示す。
【図７】同参考例に係る容器体における袋体の開封方法を説明する図であって、（ａ）及び（ｂ）はそれぞれ断面図を示す。
【図８】本発明の一実施形態に係る容器体の全体図であって、（ａ）は平面図、（ｂ）は正面図を示す。
【図９】同実施形態に係る容器体の全体図であって、（ａ）は側面図、（ｂ）はＤ−Ｄ線における断面図を示す。
【図１０】同実施形態に係る容器の全体斜視図を示す。
【図１１】同実施形態に係る容器の全体図であって、（ａ）は平面図、（ｂ）は正面図、（ｃ）は側面図を示す。
【図１２】同実施形態に係る容器体における袋体の開封方法を説明する図であって、（ａ）及び（ｂ）はそれぞれ断面図を示す。
【図１３】同実施形態に係る容器体における袋体の開封方法を説明する図であって、（ａ）及び（ｂ）はそれぞれ断面図を示す。
【発明を実施するための形態】
【００２６】
以下、本発明に係る容器体及び容器における参考例について、図１〜図７を参酌して説明する。
【００２７】
本参考例に係る容器体は、図１〜図５に示すように、内容物１と、内容物１を封入する袋体２と、内容物１及び袋体２を収容する容器３とを備える。なお、詳細は後述するが、容器体は、袋体２に封入されている内容物１が袋体２から取り出され、内容物１が容器３の内部に収容された状態で使用される。
【００２８】
内容物１は、固形状に形成されていると共に、長尺な円柱状に形成されている。本参考例において、内容物１は、液体を吸収可能に構成され、芳香剤や忌避剤といった揮発性の液体が吸収された円柱状の吸収材としている。
【００２９】
袋体２は、長尺な筒状に形成されていると共に、紙、ナイロン、ビニール、プラスチック等のフィルムから形成されることにより、可撓性を有するように形成されている。そして、袋体２は、内容物１を封入する袋状の封入部２１と、封入部２１を封止すべく、封入部２１の外縁をシールするシール部２２，２３，２３とを備える。なお、封入部２１は、長手方向に亘って略同一の幅寸法で形成されている。
【００３０】
また、袋体２は、容器３から露出する露出部２４，２５を一対備える。具体的には、袋体２は、長手方向の一方側に配置され、容器３から露出する第１露出部２４と、長手方向の他方側に配置され、容器３から露出する第２露出部２５とを備える。
【００３１】
さらに、袋体２は、各露出部２４，２５に、切断の開始となる切断開始部２４１，２５１を備える。なお、本参考例において、切断開始部２４１，２５１は、幅方向の一方側（シール部２２）に配設される切欠としている。これにより、袋体２は、露出部２４，２５が切断開始部２４１，２５１から切断されることで、内容物１が袋体２から出られるように開封される。
【００３２】
なお、袋体２は、帯状のフィルムを筒状に形成させるべく、フィルムの幅方向の端部同士を長手方向に沿ってシールされ、筒状に形成されたフィルムに内容物１を挿入した後に、フィルムの長手方向の各端部を幅方向に沿ってシールされることで、形成される。即ち、袋体２は、所謂、ピロー包装と呼ばれる包装形態であって、一般的に、長手方向に沿ってシールされたシール部２２をセンターシール部といい、幅方向に沿ってシールされたシール部２３，２３をエンドシール部という。
【００３３】
容器３は、長尺な筒状に形成される容器本体３０と、容器本体３０の長手方向における各端部に配置される第１及び第２側壁部３１，３２とを備える。具体的には、容器３は、角筒状に形成される容器本体３０と、両端部に配置される略正方形状の第１及び第２側壁部３１，３２とにより、直方体状の筺体に形成されている。なお、容器３は、プラスチック等の硬質樹脂で形成されることにより、剛性を有するように形成されている。
【００３４】
容器本体３０は、略長方形状に形成され、互いに対面するように配置される第１及び第２側壁部３１，３２の各辺同士を連結する四つの周壁部３０１〜３０４を備える。そして、少なくとも一つ（本参考例においては、三つ）の周壁部３０１〜３０３は、内容物１が通過するのを防止できる大きさの開口で形成され、容器３の内部と外部とを連通させる連通部３０５，…を複数備える。なお、容器体を床の上等に設置する際には、連通部が設けられていない周壁部３０４を底面にして、容器体が設置される。
【００３５】
第１側壁部３１は、袋体２の第１露出部２４が容器３から露出するための第１開口部３１１を備えると共に、第２側壁部３２は、袋体２の第２露出部２５が容器３から露出するための第２開口部３２１を備える。また、第１及び第２側壁部３１，３２は、外面側に、球面状の凹部３１２，３２２をそれぞれ備えると共に、内面側に、凹部３１２，３２２の形成に伴って球面状に突出する凸部３１３，３２３をそれぞれ備える。
【００３６】
第１及び第２開口部３１１，３２１は、内容物１が通過するのを防止できる形状、即ち、内容物１を係止可能な形状に形成されている。具体的には、第１及び第２開口部３１１，３２１は、内容物１よりも小さく形成されており、内容物１が通過するのを防止できる大きさに設定されている。より具体的には、第１及び第２開口部３１１，３２１は、スリット状に形成されている。
【００３７】
そして、第１開口部３１１は、第１側壁部３１の対角線に沿ってスリットが延設されてなり、延設される方向の中央部が凸部３１３の頂部に位置するように配置されている。同様に、第２開口部３２１は、第２側壁部３２の対角線に沿ってスリットが延設されてなり、延設される方向の中央部が凸部３２３の頂部に位置するように配置されている。
【００３８】
本参考例に係る容器体及び容器３の構成については以上の通りであり、次に、本参考例に係る容器体における袋体２の開封方法について、図６及び図７を参酌して説明する。
【００３９】
図６（ａ）に示すように、容器３の第１開口部３１１を介して、袋体２の第１露出部２４が容器３の外部に露出していると共に、容器３の第２開口部３２１を介して、袋体２の第２露出部２５が容器３の外部に露出している。斯かる状態においては、各開口部３１１，３２１が内容物１よりも小さく形成されているため、各開口部３１１，３２１から、内容物１を引き出したり、袋体２を完全に引き抜いたりすることはできない。
【００４０】
まず、第１露出部２４に設けられる切断開始部２４１から袋体２（第１露出部２４）の切断を開始する。これにより、図６（ｂ）に示すように、袋体２が第１露出部２４で開封されるため、当該開封された部位を介して、内容物１が袋体２の外部に出られるようなる。
【００４１】
そして、第２露出部２５を把持して引く（操作する）ことで、図７（ａ）に示すように、袋体２が第２開口部３２１から長手方向（図７（ａ）のＣ矢印方向）に向けて引き出される。すると、内容物１が通過するのを防止できる大きさに、第２開口部３２１が設定されているため、第２開口部３２１（具体的には、凸部３２３の頂部）が袋体２を介して内容物１を係止する。
【００４２】
これにより、内容物１が容器３の内部で袋体２から押し出される。そして、図７（ｂ）に示すように、袋体２が第２開口部３２１を介して容器３から完全に引き抜かれると、容器３の内部に内容物１が収容された容器体が得られる。なお、袋体２が第２露出部２５で開封され、第１露出部２４を操作することで、袋体２が第１開口部３１１から引き出される場合でもよい。
【００４３】
以上より、本参考例に係る容器体及び容器３によれば、容器３の長手方向の一方側に設けられる第１開口部３１１から、第１露出部２４が容器３の外部に露出していると共に、容器３の長手方向の他方側に設けられる第２開口部３２１から、第２露出部２５が露出している。そして、内容物１が袋体２から出られるよう に、まず、袋体２が第１露出部２４で開封される。
【００４４】
その後、第２露出部２５が操作されることで、袋体２が第２開口部３２１から引き出されると、内容物１が通過するのを防止できる大きさに、第２開口部３２１が設定されているため、内容物１が容器３の内部で袋体２から押し出される。これにより、容器３の内部に内容物１が収容された容器体を得ることができる。したがって、内容物１を指で持つことなく、容器３の内部に内容物１を設置できる。
【００４５】
また、本参考例に係る容器体によれば、各露出部２４，２５に、切断の開始となるための切断開始部２４１，２５１がそれぞれ設けられている。これにより、切断開始部２４１，２５１から切断を開始することで、切断工具等を用いることなく、各露出部２４，２５を切断できるため、各露出部２４，２５で袋体２を開封する作業を容易にすることができる。
【００４６】
また、本参考例に係る容器体及び容器３によれば、スリット状の開口部３１１，３２１の中央部が球面状に突出する凸部３１３，３２３の頂部に位置している。これにより、袋体２を開口部３２１から引き出す際に、凸部３２３の頂部が袋体２を介して内容物１を係止することになるため、内容物１を係止する部分の面積を最小限にすることができ、その結果、袋体２の引き出す作業を容易にすることができる。
【００４７】
次に、本発明に係る容器体及び容器における一実施形態について、図８〜図１３を参酌して説明する。なお、図８〜図１３において、図１〜図７の符号と同一の符号を付した部分は、参考例と略同一の構成又は要素を表す。
【００４８】
本実施形態に係る容器体は、図８〜図１１に示すように、内容物１と、内容物１を封入する袋体２と、内容物１及び袋体２を収容する容器４とを備える。なお、本実施形態に係る容器体は、参考例に係る容器体に対して、容器４の構成が相違している。したがって、略同一の構成である内容物１及び袋体２の説明は省略する。
【００４９】
容器４は、長尺な角筒状に形成される容器本体４０を備える。そして、容器４は、容器本体４０の一端部に配置され、袋体２を挟持すべく接離可能な一対の第１挟持部４１，４１と、容器本体４０の他端部に配置され、袋体２を挟持すべく接離可能な一対の第２挟持部４２，４２とを備える。
【００５０】
また、容器４は、容器本体４０の一端部に配置され、袋体２の第１露出部２４が容器４から露出するための第１開口部４３を備えると共に、容器本体４０の他端部に配置され、袋体２の第２露出部２５が容器４から露出するための第２開口部４４を備える。なお、容器４は、プラスチック等の硬質樹脂で形成されている。
【００５１】
容器本体４０は、略長方形状に形成される四つの周壁部４０１〜４０４で、角筒状に形成されている。そして、三つの周壁部４０１〜４０３は、内容物１が通過するのを防止できる大きさの開口で形成され、容器４の内部と外部とを連通させる連通部４０５，…を複数備える。
【００５２】
各第１挟持部４１は、袋体２を挟持するための板状の挟持片４１１と、挟持片４１１を移動可能となるように、挟持片４１１の一端部と容器本体４０の一端部とを連結する弾性の連結片４１２とを備える。そして、一対の第１挟持部４１，４１は、各連結片４１２が弾性変形することで、一対の挟持片４１１，４１１の他端部同士が接離するように構成されている。
【００５３】
各第２挟持部４２は、袋体２を挟持するための板状の挟持片４２１と、挟持片４２１を移動可能となるように、挟持片４２１の一端部と容器本体４０の他端部とを連結する弾性の連結片４２２とを備える。そして、一対の第２挟持部４２，４２は、各連結片４２２が弾性変形することで、一対の挟持片４２１，４２１の他端部同士が接離するように構成されている。
【００５４】
一方の各挟持片４１１（４２１）は、他方の挟持片４１１（４２１）と対面する部位（他端部）に、他方の挟持片４１１（４２１）に向けて突出する凸状部４１１ａ（４２１ａ）を備える。また、他方の各挟持片４１１（４２１）は、凸状部４１１ａ（４２１ａ）を嵌め込み可能な凹状部４１１ｂ（４２１ｂ）を備える。
【００５５】
各連結片４１２（４２２）は、外面側に、指で操作されるための球面状の窪み部４１２ａ（４２２ａ）を備えると共に、内面側に、窪み部４１２ａ（４２２ａ）の形成に伴って突出する球面状の突出部４１２ｂ（４２２ｂ）を備える。そして、一方の連結片４１２（４２２）は、容器本体４０の所定の周壁部４０２に連結されると共に、他方の連結片４１２（４２２）は、当該周壁部４０２と対面する周壁部４０４に連結される。
【００５６】
各開口部４３（４４）は、一対の挟持部４１，４１（４２，４２）が離間した状態で生じる挟持部４１，４１（４２，４２）間の隙間（スリット）で構成されている。これにより、各開口部４３（４４）は、開口の大きさを変更可能に構成されると共に、内容物１が通過するのを防止できる大きさに設定され得る。
【００５７】
本実施形態に係る容器体及び容器４の構成については以上の通りであり、次に、本実施形態に係る容器体における袋体２の開封方法について、図１２及び図１３を参酌して説明する。
【００５８】
図１２（ａ）に示すように、容器４の第１開口部４３を介して、袋体２の第１露出部２４が容器４の外部に露出していると共に、容器４の第２開口部４４を介して、袋体２の第２露出部２５が容器４の外部に露出している。斯かる状態においては、各開口部４３，４４が内容物１よりも小さく設定されているため、各開口部４３，４４から、内容物１を引き出したり、袋体２を完全に引き抜いたりすることはできない。
【００５９】
まず、各第１挟持部４１の挟持片４１１，４１１同士が接近する方向（図１２（ａ）のＥ矢印方向）に、各連結片４１２を押す（操作する）。すると、各連結片４１２が弾性変形して、一対の挟持片４１１，４１１が接近するため、一対の挟持片４１１，４１１で袋体２（具体的には、第１露出部２４における切断開始部２４１よりも基端側）を挟持できる。
【００６０】
そして、図１２（ｂ）に示すように、第１露出部２４に設けられる切断開始部２４１から袋体２（第１露出部２４）の切断を開始する。このとき、切断される部位の近傍を一対の第１挟持部４１，４１が挟持しているため、袋体２を切断するのに伴って、袋体２が移動するのを防止できる。そして、袋体２が第１露出部２４で開封されるため、当該開封された部位を介して、内容物１が袋体２の外部に出られるようなる。
【００６１】
その後、各連結片４１２を押す（操作する）のを解除すると、図１３（ａ）に示すように、各連結片４１２が弾性力により復元し、挟持片４１１，４１１同士が離反する方向（図１３（ａ）のＦ矢印方向）に移動する。そして、第２露出部２５を把持して引く（操作する）ことで、袋体２が第２開口部４４から長手方向（図１３（ａ）のＧ矢印方向）に向けて引き出される。
【００６２】
すると、内容物１が通過するのを防止できる大きさに、第２開口部４４が設定されているため、第２開口部４４（具体的には、各第２挟持部４２の挟持片４２１）が袋体２を介して内容物１を係止する。これにより、内容物１が容器４の内部で袋体２から押し出される。
【００６３】
そして、図１３（ｂ）に示すように、袋体２が第２開口部４４を介して容器４から完全に引き抜かれると、容器４の内部に内容物１が収容された容器体を得ることができる。なお、袋体２が第２露出部２５で開封され、第１露出部２４を操作することで、袋体２が第１開口部４３から引き出される場合でもよい。
【００６４】
以上より、本実施形態に係る容器体及び容器４によれば、内容物１が袋体２から出られるように、第１開口部４３から容器４の外部に露出している第１露出部２４で、袋体２が開封される。そして、第２開口部４４から容器４の外部に露出している第２露出部２５が操作されることで、袋体２が第２開口部４４から引き出される。
【００６５】
すると、内容物１が通過するのを防止できる大きさに、第２開口部４４が設定されているため、内容物１が容器４の内部で袋体２から押し出される。これにより、容器４の内部に内容物１が収容された容器体が得られる。したがって、内容物１を指で持つことなく、容器４の内部に内容物１を設置できる。
【００６６】
また、本実施形態に係る容器体及び容器４によれば、接離可能な一対の第１挟持部４１，４１が離間することで、第１開口部４３が構成されている。これにより、一対の挟持部４１，４１が接近することで袋体２を挟持できるため、第１露出部２４で袋体２を開封する際に、袋体２が移動する（位置ずれする）のを防止でき、その結果、第１露出部２４で袋体２を開封する作業を容易にすることができる。
【００６７】
なお、本発明に係る容器体及び容器並びに袋体の開封方法は、上記した実施の形態に限定されるものではなく、本発明の要旨を逸脱しない範囲内において種々変更を加え得ることは勿論である。また、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００６８】
例えば、本発明に係る容器体及び容器は、床の上等に設置する場合、即ち、床置きタイプである場合でもよく、例えば、フック等に掛けられて吊られる場合、即ち、吊下げタイプである場合でもよい。なお、吊下げタイプの場合には、容器３，４に、フック等に引っ掛けられる引掛部を設けることが好ましい。
【００６９】
また、本発明に係る容器体（容器）は、容器３（４）を分解及び組立可能に構成してもよい。例えば、一対の開口部３１１，３２１（４３，４４）を基準にして（例えば図２（ａ）のＡ−Ａ線で）、容器３（４）を二つの部材に分解可能に構成すれば、内容物１及び袋体２を一方の部材に収容した後に、他方の部材を一方の部材に合わせるように組み立てることで、各開口部３１１，３２１（４３，４４）を介して、袋体２の各露出部２４，２５が容器３（４）の外部に露出するように、開封前の袋体２を容器３（４）に収容できる。
【００７０】
また、本発明に係る容器体（容器）は、容器の開口部に、外周部で袋体２に接する回転体が設けられてなる場合でもよい。具体的には、容器の開口部に、袋体２を挟むように一対の回転体（回転ローラ）が配設され、円柱状の各回転体は、袋体２を挟む方向と直交する方向を中心に回転可能に構成される場合でもよい。
【００７１】
斯かる構成によれば、袋体２が開口部から引き出されるのに伴って、外周部で袋体２に接する回転体が回転する。これにより、回転体が無い場合と比較して、例えば、袋体２を開口部から引き出す力（袋体２と容器との摩擦力）を小さくすることもできるため、袋体２を開口部から円滑に引き出すことができる。
【００７２】
また、上記実施形態に係る容器体においては、内容物１が揮発性液体を吸収させた吸収材である場合を説明したが、斯かる場合に限られない。例えば、内容物は、複数の粒状体である場合でもよく、ドライアイスといった気化する固形状である場合でもよく、また、ジェル状の液体である場合でもよい。
【００７３】
なお、内容物がジェル状の液体の場合、袋体２が引き出される側の開口部の大きさを変更できる構成とするのが好ましい。斯かる構成によれば、袋体２が引き出される際に、開口部の大きさを小さくすることで、ジェル状の内容物を容器の内部に絞り出すことができる。
【００７４】
また、上記実施形態に係る容器体においては、袋体２の封入部２１が長手方向に亘って略同一の幅寸法で形成されている場合を説明したが、斯かる場合に限られない。例えば、袋体は、長手方向の一方側から他方側に向けて幅広となるように形成される場合でもよい。斯かる構成によれば、他方側の露出部で袋体を開封することにより、袋体の開放する部位を大きくすることができるため、袋体２から内容物１を出し易くできる。
【００７５】
また、上記実施形態に係る容器体においては、袋体２に設けられる切断開始部２４１，２５１が切欠である場合を説明したが、斯かる場合に限られない。例えば、切断開始部は、ハーフカット、切込、又は複数の穴（貫通、非貫通微細孔）等から構成されてもよく、要するに、切断工具を用いることなく、切断できる構成であればよい。
【００７６】
また、上記実施形態に係る容器体（容器３，４）においては、容器３（４）が長尺な直方体状に形成され、容器３，４の長手方向の一方側と他方側とにそれぞれ第１及び第２開口部３１１，３２１（４３，４４）が配設される場合を説明したが、斯かる場合に限られない。例えば、容器は、円柱状や三角柱状に形成される場合でもよく、また、容器の幅方向の一方側と他方側とにそれぞれ開口部が配設される場合でもよい。
【００７７】
また、上記実施形態に係る容器体（容器３，４）においては、各開口部３１１，３２１，４３，４４が直線状のスリットで形成される場合を説明したが、斯かる場合に限られない。例えば、開口部は、曲線状の（湾曲した）スリットで形成される場合でもよく、また、円形状や多角形状に形成される開口である場合でもよい。
【００７８】
要するに、開口部は、袋体２が開封される前（未開封の状態）においては、袋体を完全に引き抜くことができないような大きさに設定されていると共に、反対の開口部から露出する露出部で袋体が開封され、袋体が反対の開口部から引き出される際には、内容物が容器の内部で袋体から押し出されるような大きさに設定されていればよい。
【００７９】
また、上記実施形態に係る容器体（容器４）においては、各挟持部４１，４１（４２，４２）が互いに容器本体４０に対して相対的に変位可能に構成される場合を説明したが、斯かる場合に限られない。例えば、一対の挟持部の内、一方の挟持部が容器本体に対して相対的に変位することで、一対の挟持部が接離可能 に構成される場合でもよい。
【００８０】
また、上記実施形態に係る容器体（容器４）においては、袋体２を容器４から引き出す際に、挟持部４１（４２）の挟持片４１１（４２１）が内容物１を係止する場合を説明したが、斯かる場合に限られない。例えば、各挟持部４１（４２）の連結片４１２（４２２）の突出部４１２ａ（４２２ａ）が内容物１を係止する場合でもよい。
【００８１】
また、上記実施形態に係る容器体（容器４）においては、連結片４１２（４２２）が弾性変形することにより、一対の挟持部４１，４１（４２，４２）が接離する場合を説明したが、斯かる場合に限られない。例えば、開口部は、例えばゴム等の弾性体で形成され、対向する内縁同士が接近するように弾性変形することで、袋体２を挟持するように構成される場合でもよい。
【００８２】
また、上記実施形態に係る容器体（容器４）においては、連結片４１２（４２２）への操作を解除すると、連結片４１２（４２２）が復元することにより、一対の挟持部４１，４１（４２，４２）が離反する場合を説明したが、斯かる場合に限られない。
【００８３】
例えば、一対の挟持部は、袋体２を挟持する状態で掛止し合うことにより、連結片への操作を解除しても、袋体２を挟持する状態を維持可能に構成される場合でもよい。具体的には、一方の挟持片４１１（４２１）に設けられる凸状部４１１ａ（４２１ａ）が、他方の挟持片４１１（４２１）に設けられる凹状部４１１ｂ（４２１ｂ）に掛止可能に構成される場合でもよい。
【００８４】
また、上記実施形態に係る袋体２の開封方法においては、袋体２を容器３，４から完全に抜き出す場合を説明したが、斯かる場合に限られない。例えば、内容物１の一部だけを袋体２から出すように、袋体２を容器３，４から引き出す場合でもよい。斯かる方法によれば、例えば、内容物１における揮発性液体が揮発する量を調整することができる。
【符号の説明】
【００８５】
１…内容物、２…袋体、３…容器、４…容器、２４…（第１）露出部、２５…（第２）露出部、４１…（第１）挟持部、４２…（第２）挟持部、４３…（第１）開口部、４４…（第２）開口部、２４１，２５１…切断開始部、３１１…（第１）開口部、３２１…（第２）開口部
【図１】
0005190494.tif 000002
【図２】
0005190494.tif 000003
【図３】
0005190494.tif 000004
【図４】
0005190494.tif 000005
【図５】
0005190494.tif 000006
【図６】
0005190494.tif 000007
【図７】
0005190494.tif 000008
【図８】
0005190494.tif 000009
【図９】
0005190494.tif 000010
【図１０】
0005190494.tif 000011
【図１１】
0005190494.tif 000012
【図１２】
0005190494.tif 000013
【図１３】
0005190494.tif 000014